(57)【要約】【課題】  スキャナ部と認識部が離れていても、認識部及びＶＣＤに必要な異なる解像度の画像を間引き手段によって共通化し、可逆圧縮した圧縮画像を生成してスキャナから認識部に送信することによって、高速な画像送信処理を安価に実現する紙葉類読取区分機を提供すること。【解決手段】  スキャナ部１１は、紙葉類Ｐの画像を読み取って得た原画像５０の基準画素Ａ１から行側及び列側に１ライン毎に間引いた間引き画像を生成する。さらに、この基準画素をずらして４画像生成し、かつ、この４画像を可逆圧縮した圧縮画像Ａ５１乃至Ｄ５４を生成する。このようにして生成した圧縮画像に画像ヘッダ５５を付与して構成した画像データ６０を認識部１５に送信する。認識部１５はこれらの圧縮画像を復元して区分先を認識する。しかしながら、区分先が認識できないときは、リジェクトデータ制御部１８から前記圧縮画像の中の何れかの画像をＶＣＳ２に転送する。【選択図】  図２
2005288345.tif 000002
【特許請求の範囲】
【請求項１】
紙葉類の画像を読み取る読取手段と、この読取手段で読み取られた読取画像であるところの原画像からデータを間引いて複数の低解像度画像を生成するデータ間引き手段と、前記複数の低解像度画像を可逆圧縮して複数の低解像度画像を生成する圧縮手段とを有するスキャナと、
このスキャナから送信された前記圧縮画像を受信し、この圧縮画像から原画像に復元する復元手段と、この復元手段によって復元した画像を用いて前記紙葉類に記載された文字を認識する認識手段と、
この認識手段によって認識できないとき、前記複数の圧縮画像の何れかをビデオコーディングシステムに送信する送信手段と
を有することを特徴とする紙葉類読取区分機。
【請求項２】
紙葉類の画像を読み取る読取手段と、この読取手段で読み取られた読取画像であるところの原画像からデータを間引いて複数の低解像度画像を生成するデータ間引き手段と、前記複数の低解像度画像を可逆圧縮して複数の圧縮画像を生成する圧縮手段とを有するスキャナと、
前記圧縮手段によって生成された複数の圧縮画像を送信する複数の通信回線と、
この通信回線によって送信されてきた圧縮画像を受信し、この圧縮画像から原画像に復元する復元手段と、この復元手段によって復元した画像を用いて前記紙葉類に記載された文字を認識する認識手段と、
この認識手段によって認識できないとき、前記複数の圧縮画像の何れかをビデオコーディングシステムに送信する送信手段と
を有することを特徴とする紙葉類読取区分機。
【請求項３】
前記データ間引き手段は、
前記原画像を構成する画素を行及び列からなる２次元で表現するとき、その画素の開始点である基準画素から行側画素及び列側画素に１ライン毎に間引いて残った画素から生成した第1の圧縮画像と、
前記原画像の前記基準画素を列側に１画素ずらした画素を基準画素として行側画素及び列側画素に１ライン毎に間引いて残った画素から生成した第2の圧縮画像と、
前記原画像の前記基準画素を行側に１画素ずらした画素を基準画素として行側画素及び列側画素に１ライン毎に間引いて残った画素から生成した第3の圧縮画像と、
前記原画像の前記基準画素を行側画素及び列側画素に１画素ずらした画素を基準画素としてに行側画素及び列側画素に１ライン毎に間引いて残った画素から生成した第4の圧縮画像と
を生成する手段であることを特徴とする請求項１又は請求項２記載の紙葉類読取区分機。
【請求項４】
前記送信手段は、
前記第1の圧縮画像乃至前記第4の圧縮画像の中の何れか１つの圧縮画像をビデオコーディングシステムに送信する手段であることを特徴とする請求項３記載の紙葉類読取区分機。
【請求項５】
前記複数の通信回線は、
この通信回線の内、第1の回線で前記複数の圧縮画像の中の一部の圧縮画像を送信し、第2の通信回線で前記複数の圧縮画像の中の残りの圧縮画像を送信することを特徴とする請求項２記載の紙葉類読取区分機。
【発明の詳細な説明】
【技術分野】
【０００１】
本発明は、配達物に記載されている配達区分先などの画像を認識して区分する紙葉類読取区分機に関する。
【背景技術】
【０００２】
例えば、配達物を区分する紙葉類読取区分機は、配達物に記載されている区分先の郵便番号及び住所をスキャナで読み取り、この読み取った画像データをＯＣＲ（認識部）に送信して認識している。そして、この認識部の認識結果に基づいて区分先を区分する区分処理を行っている。また、上記認識部は、区分先の郵便番号及び住所が認識できなかった場合、その認識できなかった画像データをビデオコーディングシステム（ＶＣＳ）に送信している。ＶＣＳはその画像データを蓄積後、ＶＣＳを構成するビデオコーディング端末（ＶＣＤ）に送信してオペレータが当該画像を目視確認して配達区分先を入力している。
【０００３】
このように、スキャナから認識部への画像送信、認識部からＶＣＳへの画像送信、ＶＣＳからＶＣＤへの画像送信が行われている。
【０００４】
上記、スキャナから認識部への画像伝送は、認識部で高解像度の画像を必要とするため、これまでＳＣＳＩ（Small Computer System Interface）などの非圧縮のパラレルインターフェースやＩＥＥＥ１３９４などが用いられていた。
【０００５】
また、認識部からＶＣＳへの画像送信は、ＶＣＤで高解像度の画像を必要としないため、これまで低解像度の間引き画像データを圧縮して送信していた。これらの間引き処理は、２×２の画素から１画素抽出し、他の３画素破棄する方法が知られている（例えば、特許文献１参照。）。
【０００６】
しかし、上記従来の画像伝送方式では、スキャナ部と認識部の距離を離すことができないという問題と、認識部が要求する画像解像度とＶＣＤが要求する画像解像度のレベルが異なるためこれらを個別に送信すると高速処理ができないという問題があった。
【特許文献１】特開平１１−２６１８２５号公報  （第１頁、図７）
【発明の開示】
【発明が解決しようとする課題】
【０００７】
スキャナ部と認識部が離れている場合、スキャナから認識部への送信が非圧縮だと、データ量が大きくなるるため高速に送信するために、高速なシリアル送信を実現する必要があり高価な送信方式になるという問題があった。
【０００８】
本発明は上記問題を解決するためになされたもので、スキャナ部と認識部が離れていても、認識部及びＶＣＤに必要な異なる解像度の画像を間引き手段によって共通化し、可逆圧縮した圧縮画像を生成してスキャナから認識部に送信することによって、高速な画像送信処理を安価に実現する紙葉類読取区分機を提供することを目的とする。
【課題を解決するための手段】
【０００９】
上記目的を達成するために、本発明の請求項１記載の紙葉類読取区分機は、紙葉類の画像を読み取る読取手段と、この読取手段で読み取られた読取画像であるところの原画像からデータを間引いて複数の低解像度画像を生成するデータ間引き手段と、前記複数の低解像度画像を可逆圧縮して複数の低解像度画像を生成する圧縮手段とを有するスキャナと、このスキャナから送信された前記圧縮画像を受信し、この圧縮画像から原画像に復元する復元手段と、この復元手段によって復元した画像を用いて前記紙葉類に記載された文字を認識する認識手段と、この認識手段によって認識できないとき、前記複数の圧縮画像の何れかをビデオコーディングシステムに送信する送信手段とを有することを特徴とする。
【００１０】
また、本発明の請求項２記載の紙葉類読取区分機は、紙葉類の画像を読み取る読取手段と、この読取手段で読み取られた読取画像であるところの原画像からデータを間引いて複数の低解像度画像を生成するデータ間引き手段と、前記複数の低解像度画像を可逆圧縮して複数の圧縮画像を生成する圧縮手段とを有するスキャナと、前記圧縮手段によって生成された複数の圧縮画像を送信する複数の通信回線と、この通信回線によって送信されてきた圧縮画像を受信し、この圧縮画像から原画像に復元する復元手段と、この復元手段によって復元した画像を用いて前記紙葉類に記載された文字を認識する認識手段と、この認識手段によって認識できないとき、前記複数の圧縮画像の何れかをビデオコーディングシステムに送信する送信手段とを有することを特徴とする。
【発明の効果】
【００１１】
本発明によれば、スキャナ部と認識部が離れていても、認識部及びＶＣＤに必要な異なる解像度の画像を間引き手段によって共通化し、可逆圧縮した圧縮画像を生成してスキャナから認識部に送信するので、高速な画像送信処理を安価に実現することができる。
【発明を実施するための最良の形態】
【００１２】
以下、図面を参照して本発明の実施の形態を説明する。
【実施例】
【００１３】
図１は、本発明の実施例による郵便物など紙葉類Pの区分を行う紙葉類読取区分機の構成図である。この紙葉類読取区分機は、紙葉類Pの区分先を示す情報（文字情報）を認識して区分する読取区分機本体１、この読取区分機本体１にて区分先が認識できなかった紙葉類Pの区分先を示す情報を、当該紙葉類Pを表示する画面に基づいてオペレータが入力するビデオコーディングシステム（コーディング装置）（以下、ＶＣＳと称する）２から構成されている。
【００１４】
まず、読取区分機本体１について説明する。図１に示すように、読取区分機本体１は、搬送区分機本体１ａを有している。この搬送区分機本体１ａには、第１面に区分先を示す情報としての数字や文字などが書き込まれ或いは印刷された複数の紙葉類Ｐを、この第１面が同一方向を向くように揃えて立位で収容するとともに、これらの紙葉類Ｐを所定の取出位置へ順次供給する供給部１０を備えている。この供給部１０には、紙葉類Ｐを主搬送路１７に沿って所定の間隔で一通ずつ取り出す取出部（図示しない）が配置されている。
【００１５】
上記供給部１０に供給される紙葉類Ｐには、その第１面に区分先を示す情報に対応した文字のみが記載されたもの以外に、機械コードとして大口の区分先に予め決められているカスタマコードや紙葉類Ｐの区分先に対応して読取区分機本体１内で決められる局内バーコード、又は認識部１５にて区分情報の認識が不能となった紙葉類Ｐに付与されるＩＤコードなどが記載されたものがある。なお、これらの各コードは、バーコード化した情報として紙葉類Ｐの第１面に付与されるものである。
【００１６】
上記供給部１０に供給されている紙葉類Ｐは、一定間隔で取り出されて、一定速度で搬送する主搬送路１７により一定の搬送間隔（ピッチ）で搬送される。主搬送路１７上を搬送される紙葉類Ｐは、機械処理が不可能な異物の場合には排除され、機械処理が可能な紙葉類Ｐのみが搬送される。
【００１７】
主搬送路１７上には、スキャナ部１１、ＩＤコード読取部１２、バーコードプリンタ部１５、及び区分部１４が設けられている。上記スキャナ部１１は、主搬送路１７上の紙葉類Ｐの区分先を示す情報が記載されている面を読み取り、その読み取った画像を画像バッファ１９に送信する。そして、この画像は区分先を示す情報を認識する認識部（認識手段）１５へ送信される。上記ＩＤコード読取部１２は、主搬送路１７上を搬送される紙葉類Ｐの第１面にＩＤコードあるいは機械コードが付与されている場合に、そのＩＤコード、あるいは機械コードを読み取るものである。
【００１８】
上記バーコードプリンタ部１３は、必要に応じて紙葉類Ｐの第１面にＩＤコード、あるいは機械コードを印刷するものである。これは、認識部１５により区分情報が認識できた場合に、その区分情報をバーコード化して紙葉類上に機械コードを印刷し、認識部１５により区分情報が認識できなかった場合に、ＩＤコードを印刷するものである。
【００１９】
このバーコードプリンタ部１３の紙葉類Ｐの搬送方向の下流側には、主搬送路１７上を搬送されてきた紙葉類Ｐが区分先に応じて区分される区分部１４が設けられている。この区分部１４は、複数の段、複数の列に区画された複数の区分ポケットから構成されている。各ポケットは、区分先ごとに対応して設定されており、区分情報あるいは機械コードに基づいて区分された紙葉類Ｐを各ポケットに順次集積する。また、区分部１４には、区分先が認識できなかった紙葉類が集積されるＶＣＳ排除ポケット（ＶＣＳリジェクト区分箱）が設けられている。このＶＣＳ排除ポケットに集積された紙葉類は、オペレータにより区分先を示す情報がＶＣＳ２にて入力された後に、供給部１０に再供給されるようになっている。
【００２０】
また、図１に示すように、上記読取区分機本体１の各部は、制御部１６により制御される。この制御部１６には、供給部１０，スキャナ部１１、ＩＤコード読取部１２、バーコードプリンタ部１３、区分部１４、認識部１５、及び画像バッファ１９などが接続されている。
【００２１】
スキャナ部１１は、紙葉類の区分情報が記載されている第１面を光学的に読み取る（読取手段）。そして、この読み取った読取画像（原画像）から後述する方法で画素（データ）を間引いて残った画素から低解像度画像を４画像生成する（データ間引き手段）。また、これら４画像を可逆圧縮する（圧縮手段）。このようにして生成された圧縮画像に当該圧縮画像の付帯情報である画像ヘッダを付加して画像バッファ１９に送信する。
【００２２】
上記認識部１５は、制御部１６によって制御されて画像バッファ１９に順次記憶された上記圧縮画像を復元する（復元手段）。そして、この復元された画像情報から区分情報となる文字を切り出して文字認識を行い、図示しない文字辞書及び住所辞書と比較してマッチング法などによって郵便番号及び住所からなる区分情報の認識を行う（認識手段）。この認識結果は、制御部１６へ返信されるようになっている。さらに、認識部１５は、区分情報が認識できなかった場合、読取画像に付帯するＯＣＲ情報、すなわち紙葉類の大きさ、文字の大きさ、文字の向き、区分先を示す情報の表記方法、文字種、認識深度、及びＶＣＳ処理が必要な箇所を示す情報などを生成し、上記画像ヘッダに付加する。なお、画像ヘッダは後で詳細に説明する。
【００２３】
リジェクトデータ制御部（送信手段）１８は、認識部１５が紙葉類Ｐの区分情報を認識できなかったとき、上記画像ヘッダ、及び４画像からなる圧縮画像の何れか１画像をＶＣＳ２に送信する制御を行う。
【００２４】
上記制御部１６は、主搬送路１７上を搬送される紙葉類ＰにＩＤコードが付与されていた場合に、そのＩＤコードにより図示しないデータベースからＩＤコードに対応する区分先を検索し、その区分先に基づいて紙葉類Ｐを区分する制御を行う。
【００２５】
次に、ＶＣＳ２について説明する。図１に示すように、ＶＣＳ２は、蓄積分配装置２０及び複数のビデオコーディング端末（以下、ＶＣＤと称する）３０から構成される。
【００２６】
上記蓄積分配装置２０は、認識部１５で認識できなかった紙葉類Ｐの画像ヘッダ及び４画像からなる圧縮画像の何れか１画像をリジェクトデータ制御部１８から受信し、当該紙葉類Ｐの郵便番号エリア候補及び住所エリア候補を検出する。
【００２７】
ＶＣＤ３０は、蓄積分配装置２０から分配される紙葉類Ｐの上記郵便番号エリア候補の画像及び住所エリア候補の画像を画像表示部（表示手段）３３に表示し、この表示された画像に基づいてオペレータが区分先を示す情報を入力することができる。
【００２８】
上記蓄積分配装置２０は、メモリ制御部２１、大容量記憶装置２２、画像メモリ２３、ビデオ分配制御部２４、タイミング制御部２５、入出力制御部２７及び専用認識部２８から構成される。
【００２９】
上記メモリ制御部２１は、読取区分機本体１から送信される認識できなかった紙葉類Ｐの画像ヘッダ及び圧縮画像からなる画像データを受信し、大容量記憶装置２２に記憶するものである。
【００３０】
上記大容量記憶装置２２は、ハードディスクドライブ（ＨＤＤ）などで構成され、上記メモリ制御部２１の制御に基づいて読取区分機本体１から受信した画像ヘッダ及び圧縮画像を記憶する。この大容量記憶装置２２に記憶された画像データは、メモリ制御部２１からの送信要求に応じて画像メモリ２３上に読み出される。
【００３１】
専用認識部（検出手段）２８は、この大容量記憶装置２２に記憶された画像データの圧縮画像を認識することによって、郵便番号エリア候補及び住所エリア候補を検出する。これらの検出されたエリア候補は、画像ヘッダに付加される。
【００３２】
上記ビデオ分配制御部２４は、メモリ制御部２１及びタイミング制御部２５と接続されている。このビデオ分配制御部２４は、各ＶＣＤ３０、・・から送信されてくる分配要求に従って生成される分配要求テーブル（図示しない）の内容に基づいて画像データの送信先（分配先）のＶＣＤ３０を判断する。すなわち、ビデオ分配制御部２４は、分配要求テーブルによりコーディング（区分先の打鍵入力）可能で、画像データの入力待ちとなっているＶＣＤ３０を判断し、メモリ制御部２１を制御することにより各ＶＣＤ３０に画像データを送信する。
【００３３】
また、各ＶＣＤ３０・・・で入力されたコーディング情報は、入出力制御部２７により受信される。入出力制御部２７は、各ＶＣＤ３０・・・から受信したコーディング情報をタイミング制御部２５を介して読取区分機本体１の制御部１６に送信する。
【００３４】
上記ＶＣＤ３０は、制御部３１、記憶部３２、表示部３３及び入力部３４などを有している。制御部３１は、各ＶＣＤ３０の全体を制御し、また、蓄積分配装置２０からの紙葉類Ｐに対する画像データを受信し、入力部３４による入力結果（コーディング情報）を上記入出力制御部２７へ送信する機能を有している。
【００３５】
上記記憶部３２は、蓄積分配装置２０から供給された紙葉類Ｐの画像データを記憶する。この記憶部３２では、現在（先に）コーディング処理中の画像や次にコーディング処理する画像などの複数の画像データを記憶できるようになっている。
【００３６】
上記表示部３３は、蓄積分配装置２０から供給された紙葉類Ｐの圧縮画像６２を解凍して表示する。
【００３７】
次に、図２を参照して送信される画像の説明を行う。図２（Ａ）は、読み取り解像度８本／mmのスキャナ１１で読み取った原画像の一部で、画素Ａ１、Ｂ１、Ｃ１、Ｄ１及び画素Ａ２、Ｂ２、Ｃ２、Ｄ２で構成されている。ここで、画素Ａ１は画像の開始点でありこの場合の基準画素とする。
【００３８】
図２（Ｂ）に示す圧縮画像Ａは、図２（Ａ）の原画像の基準画素Ａ１を基準にして、行側画素及び列側画素に１ライン毎に間引いて残った画素から生成した読み取り解像度４本／ｍｍの画像で、さらに、この画像に可逆圧縮を行った画像である（第1の圧縮画像）。すなわち、この圧縮画像Ａは、原画像の画素Ａ１、Ａ２を選択して生成した画像になり、原画像を１／４に間引き後可逆圧縮した低解像度画像になる。
【００３９】
図２（Ｃ）に示す圧縮画像Ｂは、図２（Ａ）の原画像の基準画素Ａ１を列側に１画素ずらした画素Ｂ１を基準画素にして、行側画素及び列側画素を１ライン毎に間引いて残った画素から生成した読み取り解像度４本／ｍｍの画像で、さらに、この画像に可逆圧縮を行った画像である（第2の圧縮画像）。すなわち、この圧縮画像Ｂは、原画像の画素Ｂ１、Ｂ２を選択して生成した画像になり、原画像を１／４に間引き後可逆圧縮した低解像度画像になる。
【００４０】
図２（Ｄ）に示す圧縮画像Ｃは、図２（Ａ）の原画像の基準画素Ａ１を行側に１画素ずらした画素Ｃ１を基準画素にして、行側画素及び列側画素を１ライン毎に間引いて残った画素から生成した読み取り解像度４本／ｍｍの画像で、さらに、この画像に可逆圧縮を行った画像である（第3の圧縮画像）。すなわち、この圧縮画像Ｃは、原画像の画素Ｃ１、Ｃ２を選択して生成した画像になり、原画像を１／４に間引き後可逆圧縮した低解像度画像になる。
【００４１】
図２（Ｅ）に示す圧縮画像Ｄは、図２（Ａ）の原画像の基準画素Ａ１を行側、列側に１画素ずらした画素Ｄ１を基準画素にして、行側画素及び列側画素を１ライン毎に間引いて残った画素から生成した読み取り解像度４本／ｍｍの画像で、さらに、この画像に可逆圧縮を行った画像である（第4の圧縮画像）。すなわち、この圧縮画像Ｄは、原画像の画素Ｄ１、Ｄ２を選択して生成した画像になり、原画像を１／４に間引き後可逆圧縮した低解像度画像になる。
【００４２】
従って、可逆圧縮した圧縮画像Ａ５１、圧縮画像Ｂ５２、圧縮画像Ｃ５３、圧縮画像Ｄ５４を用いて原画像を容易に復元できることは当然である。
【００４３】
次に、図３及び図４を参照して送信される画像の流れを説明する。スキャナ部１１は、上述したように８本／ｍｍの解像度で紙葉類Ｐの画像を読み取る。読み取った当該画像を図２で説明したように間引き、４本／ｍｍの解像度からなる画像を生成後、可逆圧縮した圧縮画像Ａ５１、圧縮画像Ｂ５２、圧縮画像Ｃ５３、圧縮画像Ｄ５４の４画像を生成する。
【００４４】
この圧縮画像Ａ５１乃至圧縮画像Ｄ５４に上記画像ヘッダ５５を付加して生成した画像データ６０を認識部１５に送信する。この送信された画像データ６０は認識部１５で解凍され、復元されて原画像が生成される。この原画像を用いて区分情報の認識が行われる。この区分情報の認識の結果、上記ＶＣＳ２による処理が必要な場合、リジェクトデータ制御部１８は、上記４画像の中から選択された１画像をＶＣＳ２に送信する。この送信された画像は、ＶＣＳ２の中の大容量記憶装置２２に蓄積される。この大容量記憶装置２２に蓄積された画像データはＶＣＤ３０に送信されてコーディング処理が行われる。
【００４５】
次に、図４を参照して、画像データの流れを説明する。スキャナ部１１で生成された画像データ６０は、認識部１５に送信される（図４（Ａ）参照）。
【００４６】
この認識部１５による認識の結果が画像ヘッダ５６に付加されて画像データ６１が生成される（図４（Ｂ）参照）。
【００４７】
このようにして生成された画像データ６１の中の例えば圧縮画像Ａ５１及び対応する画像ヘッダ５７が選択されて、画像データ６２が生成され、ＶＣＳ２に送信される（図２（Ｃ）参照）。画像データ６２には圧縮画像Ａ５１を用いたが、圧縮画像Ｂ５２乃至圧縮画像Ｄ５４の何れの圧縮画像を用いてもよいのは当然である。
【００４８】
ＶＣＳ２はＶＣＤ３０からの画像の分配要求に基づいて、ＶＣＤ３０に画像データ６２を送信する（図４（Ｄ）参照）。この送信された画像データは、上述したように解凍されてオペレータによって目視確認され、ビデオコーディング処理が行われる。
【００４９】
以上の画像送信を行うことによって、認識部１５で必要な原画像を容易に復元できるだけでなく、ＶＣＳ２で必要な低解像度画像も同時に送信できるため、送信効率がよく高速処理が可能になる。
【００５０】
次に、図５を参照してスキャナ部１１と認識部１５のデータ送信にＬＡＮ（通信回線）を用いた場合の送信方式に付いて説明する。スキャナ部１１と認識部１５の間を２本のＬＡＮ１１１、１１２を用いて接続する。そして、一方のＬＡＮ１１１を用いて上記圧縮画像Ａ５１、圧縮画像Ｂ５１からなる２画像を認識部１５に送信し、他方のＬＡＮ１１２を用いて上記圧縮画像Ｃ５３、圧縮画像Ｄ５４からなる２画像を認識部１５に送信する。
【００５１】
この様な送信形態にすることによって、画像を分割して送信した後に画像を復元することができるため高速な画像送信が可能になる。
【００５２】
また、例えば、図示したように何れか一方のＬＡＮ１１２が故障個所１１３で故障した場合には、故障していない他方のＬＡＮ１１１を用いて圧縮画像Ａ５１及び圧縮画像Ｂ５２を送信することができる。このようにして受信された圧縮画像Ａ５１及び圧縮画像Ｂ５２を用いて上述したように画像が復元される。この場合の画像は画質が低下するが、認識できる場合が多く、故障による処理の中段を少なくすることが可能になる。なお、このＬＡＮによる送信方式の説明では画像ヘッダの送信の説明を省略したが、上記の２画像を一括して送信する場合は上述した４画像を一括して送信する場合とは画像ヘッダの内容が異なってくるのは当然である。
【図面の簡単な説明】
【００５３】
【図１】本発明の実施例による郵便物など紙葉類の区分を行う紙葉類読取区分機の構成図。
【図２】送信画像を説明する図。
【図３】送信画像の流れを説明する図
【図４】画像データのデータフォーマットを説明する図。
【図５】スキャナ部と認識部のデータ送信にＬＡＮを用いた場合の送信方式を説明する図。
【符号の説明】
【００５４】
Ｐ  紙葉類
１  読取区分機本体
１ａ  搬送区分機本体
１０  供給部
１１  スキャナ部
１４  区分部
１５  認識部
１６  制御部
１８  リジェクトデータ制御部
２  ビデオコーディングシステム
２０  蓄積分配装置
２１  メモリ制御部
２２  大容量記憶
２３  画像メモリ
３０  ビデオコーディング端末
３３  表示部
３４  入力部
５０  原画像
６０、６１、６２  画像データ
１１１、１１２  ＬＡＮ
【図１】
2005288345.tif 000003
【図２】
2005288345.tif 000004
【図３】
2005288345.tif 000005
【図４】
2005288345.tif 000006
【図５】
2005288345.tif 000007